(57)【特許請求の範囲】
【請求項１】
車両から交流および直流の２種類の電源を受電する車両搭載用自動販売機に、少なくとも交流電源の瞬時停電（瞬停）を検出する瞬停検出手段と、直流電源の不定間隔，不定期間の瞬停を含む停電を検出する停電検出手段とを設け、前記瞬停検出手段により交流電源の瞬停時を検出したときは、交流電源が復帰するまで商品の搬出動作を遅延させ、前記停電検出手段により不定間隔の不定帰還の瞬停を含む直流電源の停電を検出したときは、自動販売制御系の停止処理を行なうことを特徴とする車両搭載用自動販売機の販売制御装置。
【発明の詳細な説明】
【０００１】
【発明の属する技術分野】
この発明は、特に車両に搭載することが可能な自動販売機に関する。
【０００２】
【従来の技術】
一般に、自動販売機には２つの重要な処理がある。
停電時には、メモリデータが壊れないようにメモリの退避を行ない、メモリへのアクセスを止める。
リレー等の出力をオンしっぱなしにしておくと、瞬時停電（瞬停）時には負荷に加わる電圧がオン−オフ−オンという状態になり、商品が２個出てしまうおそれがあるので、制御用出力の全停止を行なう。これらの処理は、交流電源を監視して行なう。
また、車両用の交流電源は不定間隔，不定期間瞬停するが、この瞬停は停電に匹敵するくらいの長時間である。このような瞬停時に上記のような処理を行なうものとすると、お金を入れてから瞬停が生じた場合は、お金が自動販売機に取り込まれてしまう。
【０００３】
そこで、従来の車両搭載用自動販売機は、
１）不定間隔の一定期間で瞬停する交流電源の受電
２）コンバータにより直流に変換
３）インバータにより交流に変換
４）スイッチ電源により制御用直流電源に変換
という変換を行ない、停電（不定間隔，不定期間の瞬停を含む）を瞬停と区別しインバータ出力を監視するようにしている。
【０００４】
【発明が解決しようとする課題】
自動販売機を車両に搭載できるかどうかは、上記２），３）の機能を備えたコントローラの設置スペースがあるかどうかによって決まる。しかし、このようなコントローラは通常は大型となるため、その設置スペースを確保できないのが一般的である。
したがって、この発明は小さな設置スペースにも対応可能な自動販売機を提供することにある。
【０００５】
【課題を解決するための手段】
このような課題を解決すべく、この発明では、車両から交流および直流の２種類の電源を受電する車両搭載用自動販売機に、少なくとも交流電源の瞬時停電（瞬停）を検出する瞬停検出手段と、直流電源の不定間隔，不定期間の瞬停を含む停電を検出する停電検出手段とを設け、前記瞬停検出手段により交流電源の瞬停時を検出したときは、交流電源が復帰するまで商品の搬出動作を遅延させ、前記停電検出手段により不定間隔の不定帰還の瞬停を含む直流電源の停電を検出したときは、自動販売制御系の停止処理を行なうようにしている。
【０００６】
【発明の実施の形態】
図１はこの発明の実施の形態を示す構成図、図２はその動作を説明するためのフローチャート、図３はこの発明の概念説明図である。
ここでは、車両から交流と直流の両方を受電する。図１に符号１で交流電源を符号２で直流電源をそれぞれ示す。交流電源１には自動販売機の交流負荷３と、自動販売機の直流電源で制御されるリレー接点４、ダイオードＤ，抵抗ＲおよびフォトカプラＰＣ等からなる半波検知回路とが接続される。この半波検知回路では、半波の有無から交流電源に瞬時停電（瞬停）が生じていないかどうかを監視する。
【０００７】
一方、直流電源２には、スイッチング電源１０が接続される。このスイッチング電源１０は、通常入力が交流１００Ｖであるが、ここでは切替スイッチ９によりスイッチング電源１０の内部抵抗定数を切り替え、入力を直流１００Ｖにしている。このスイッチング電源１０は例えばＤＣ−ＤＣコンバータから構成され、車両用ＤＣ電源を自動販売機用ＤＣ電源（＋２４Ｖ，＋８Ｖ）にするもので、その２次側（出力側）にはコンデンサが設けられていて、車両用ＤＣ電源が立ち下がるときは、それから一定時間遅延して立ち下がり、本体スレーブ６に供給されるようになっている。
【０００８】
直流電源２の電圧を監視するためにツェナーダイオードＺＤ，コンパレータＣＰが設けられており、マスター５はこのツェナーダイオードＺＤ，コンパレータＣＰからの出力、例えば電圧が制御用電圧の２倍以下になったら停電と判断し、メモリデータが壊れないよう、データの退避を行なうとともに、メモリのアクセスをしないようにする。なお、図１の符号７はセレクションリレー、８はベンドリレー、１１は押釦、１２は販売機構部としてのコインメック、１３はビルバリデータのメモリである。
つまり、ここでは図３に示すように、交流電源にもとづき交流負荷への電源供給を行なうとともに瞬停検知を行ない、直流電源にもとづきスイッチング電源への電源供給を行なうとともに停電検知を行なう。マスター５や本体スレーブ６等の制御部はこれらにもとづき制御を行ない、負荷を駆動するようにしている。
【０００９】
次に、図１の動作について図２を参照しながら説明する。
ステップＳ１で押釦１１が押されると、マスター５は上記半波検知回路を介し、交流電源があるかどうかを判断する。電源がない場合はそのまま待つ（ステップＳ２）。また、電源がある場合や電源無しから有りへ変化したときは、本体スレーブ６に対して搬出指令を出す（ステップＳ３）。搬出指令を受けると、本体スレーブ６は半波検知回路により半波の有無から瞬停を判断し、半波があればセレクションリレー７をオンさせる（ステップＳ４）。その後、セレクションリレー７が十分に応動したと考えられる時間を考量して、３０ｍｓ後にベンドリレー８をオンさせる（ステップＳ５〜Ｓ７）。
【００１０】
上記ベンドリレー８をオンさせる前に瞬停が発生した場合は、マスター５に対して瞬停発生未販売終了を送信するので、マスター５は搬出指令送信前の状態に戻り、再度本体スレーブ６に搬出指令を出す（ステップＳ８）。また、ベンドリレー８は１００ｍｓ間オンするものとし、この間に瞬停が発生した場合は、本体スレーブ６はベンドリレー８およびセレクションリレー７をオフにし（ステップＳ９〜Ｓ１３）、マスター５に対して販売中瞬停発生終了を送信する（ステップＳ１６）。マスター５はこの受信した時刻を記憶し、そのコラムを独立コラムとする（ステップＳ１７）。なお、ステップＳ１３でセレクションリレー７をオフにした後に減算可信号を送信し、減算する（ステップＳ１４，Ｓ１５）。これらは、図１に示すソレノイドＳ１〜Ｓ２０が１００ｍｓ以内に処理中断した場合、コインメックに商品がつまっている可能性があるため、次販売に影響を与えないようにする処理である。
【００１１】
【発明の効果】
この発明によれば、車両から交流および直流の２種類の電源を受電するようにしたので、大きなスペースを必要とすることなく自動販売機を車両に搭載できるようになるという利点が得られる。
【図面の簡単な説明】
【図１】この発明の実施の形態を示す構成図である。
【図２】図１の動作を説明するためのフローチャートである。
【図３】この発明の概念を説明するための説明図である。
【符号の説明】
１…交流電源、２…直流電源、３…交流負荷、４…接点、５…マスター、６…本体スレーブ、７…セレクションリレー、８…ベンドリレー、９…切替スイッチ、１０…スイッチング電源、１１…押釦、１２…コインメック、１３…ビルバリデータメモリ。
【図１】
0003611071.tif 000002
【図２】
0003611071.tif 000003
【図３】
0003611071.tif 000004